(57)【要約】【課題】天然芝施設において、短期間で、容易に、芝と床を切り替えられることが可能な構造を提供する。【解決手段】競技領域の基礎部分に柱立設部が複数配置され、柱立設部は、柱立設部の直上の天然芝及び養土を除くことで、露出可能であり、柱固定用のボルト構造と、ボルト構造を天然芝及び養土から隔離するための蓋と、を備え、柱立設部には、設置後天然芝の面よりも所定の高さ以上となる柱を設置し、複数の柱の間に梁を渡し、梁の上に床を設置し、床によって競技領域を覆うという手段を採用する。【選択図】図１
2020066932.tif 000002
【特許請求の範囲】
【請求項１】
天然芝が植栽された競技領域を持つ施設において、
該競技領域の基礎部分に柱立設部が複数配置され、
該柱立設部は、該柱立設部の直上の天然芝及び養土を除くことで、露出可能であり、柱固定用のボルト構造と、該ボルト構造を天然芝及び養土から隔離するための蓋と、を備え、
該柱立設部には、設置後天然芝の面よりも所定の高さ以上となる柱を設置し、複数の該柱の間に梁を渡し、該梁の上に床を設置し、該床によって競技領域を覆うことが可能であることを特徴とする天然芝施設。
【請求項２】
前記所定の高さは、前記床を設置後、競技領域の一方からの送風が他方まで到達可能である高さであることを特徴とする請求項１に記載の天然芝施設。
【請求項３】
前記床は、前記梁の上に設置される作業用床と、該作業用床の上に設置される全面床からなることを特徴とする請求項１又は請求項２に記載の天然芝施設。
【請求項４】
前記床は、その一部若しくは全部が、孔部を備えた有孔状若しくは格子状構造の床材あるいは透明若しくは半透明の床材で構成されてなることを特徴とする請求項１から請求項３のいずれかに記載の天然芝施設。
【請求項５】
前記梁又は前記床の天然芝側には、光源が配置されていることを特徴とする請求項１から請求項４のいずれかに記載の天然芝施設。
【請求項６】
前記梁又は前記床の天然芝側には、冷風又は温風を送る送風部が備えられていることを特徴とする請求項１から請求項５のいずれかに記載の天然芝施設。
【請求項７】
前記柱立設部に光源が配置されると共に、前記作業用床又は前記全面床の天然芝側の面に反射部が備えられていることを特徴とする請求項１から請求項６のいずれかに記載の天然芝施設。
【発明の詳細な説明】
【技術分野】
【０００１】
本発明は、天然芝施設に関し、詳しくは、多用途に使用される天然芝施設で使用される支柱、床等の設置構造に関する。
【背景技術】
【０００２】
従来、多目的競技場では、サッカー等で天然芝を使用する場合と、コンサート等で床を使用する場合を、迅速に切り替える必要があり、対応するいくつかの方法があったが、それぞれ課題があった。
例えば、芝生に直接床材を敷く方法があるが、人力で敷くため、作業時間、費用がかかる問題がある。また、床を撤去後、芝の回復に１週間程度必要であり、稼働率を下げる要因となっていた。
【０００３】
また、芝ピッチ可動型とする方法があるが、芝の育成のために、芝面積と同じ敷地が必要である。また、可動式とするために大規模な装置が必要であった。また、イベントごとに芝を張り替える方法もあるが、張り替えに多大な費用が必要であるし、張り替え用の芝を常に育成保持する必要があった。
そのため、短期間で、容易に、芝と床を切り替えられる構造が求められていた。
【０００４】
このような問題に対して、従来からも様々な技術が提案されている。例えば、芝が設置されたサッカー場等を他のイベントに使用する構造（特許文献１参照）が提案され、公知技術となっている。より詳しくは、下地上に芝を敷設し、その芝目内に目砂を充填してなる人工芝施設において、芝の表面から下地の所定深さにかけて、同芝施設上で使用される支柱などの施設付属物の支持脚を埋設するための開口部（穴）を予め形成し、その開口部内に目砂を充填しておく構造である。
【０００５】
しかしながら、この構造では、砂を完全に吸引するにはある程度の時間がかかり、容易に芝、床を切り替え可能とは言えず、前記問題の解決には至っていない。
【先行技術文献】
【特許文献】
【０００６】
【特許文献１】特開平８−３９１５号公報
【発明の概要】
【発明が解決しようとする課題】
【０００７】
本発明は、天然芝施設を短期間にイベント用に変更出来ないという問題点に鑑み、競技領域に、柱立設部を複数埋め込むことによって課題を解決するものである。
【課題を解決するための手段】
【０００８】
本発明に係る天然芝施設は、該競技領域の基礎部分に柱立設部が複数配置され、柱立設部は、柱立設部の直上の天然芝及び養土を除くことで、露出可能であり、柱固定用のボルト構造と、ボルト構造を天然芝及び養土から隔離するための蓋と、を備え、柱立設部には、設置後天然芝の面よりも所定の高さ以上となる柱を設置し、複数の柱の間に、梁を渡し、梁の上に、床を設置し、床によって、競技領域を覆うことを手段とする。
【０００９】
また、本発明は、所定の高さが、床を設置後、競技領域の一方からの送風が他方まで到達可能である高さであることを手段とする。
【００１０】
さらに、本発明は、床が、梁の上に設置される作業用床と、作業用床の上に設置される全面床からなることを手段とする。
【００１１】
またさらに、本発明は、床の一部若しくは全部が、孔部を備えた有孔状若しくは格子状構造の床材あるいは透明若しくは半透明の床材で構成されてなる手段とする。
【００１２】
さらにまた、本発明は、梁又は床の天然芝側には、光源が配置されていることを手段とする。
【００１３】
そしてまた、本発明は、梁又は床の天然芝側には、冷風又は温風を送る送風部を備えることを手段とする。
【００１４】
そしてさらに、本発明は、柱立設部に光源を配置し、作業用床又は全面床の天然芝側の面に反射部を備えることを手段とする。
【発明の効果】
【００１５】
本発明に係る天然芝施設によれば、短期間で、容易に、芝と床を切り替えることが可能であり、可動率向上による効率的な施設の運営を行うことが出来る、といった優れた効果を奏する。
また、設置後の床と天然芝の面との間に空間が形成されるため、該床により芝が外気から遮断されて断熱機能を発揮し、芝育成に必要な温度管理が楽になる。
【００１６】
さらに、本発明に係る天然芝施設によれば、設置後の床と天然芝の面との間に送風可能な所定高さの空間が備わることで、送風機による該空間の空気の入れ替えが可能であって、天然芝部分の湿度、温度管理を容易に行うことができると共に、天然芝面空間に二酸化炭素などの気体を送り込むことで、芝育成の増進を図ることも可能となる。
またさらに、床が設置されることで、天然芝が存する土壌面が完全に被覆されることとなるため、外部から雑草の種が入り難くなって、雑草の除去手間を大きく減らすことが出来、その結果、除草剤や農薬等の散布量を減少させることが可能となる。
さらにまた、床が設置されることで、天然芝面空間が外部と遮断された密閉空間と化すこととなるため、外部へ無駄に飛散させることなく農薬等を効果的に散布することが可能であって、その点においても農薬等の散布量を減少させることが可能となる。
【００１７】
そしてまた、従来のスタジアム等の天然芝施設では、敷設される芝の養生・育成の為、南側の観客席を低くしたり、日照や風向き等々、幾つもの制限を要する設計態様となっているが、本発明に係る天然芝施設によれば、その様な制限から完全に解放され、設計の自由度が向上するといった優れた効果も奏する。
【図面の簡単な説明】
【００１８】
【図１】本発明に係る天然芝施設の実施例の模式図である。
【図２】本発明に係る天然芝施設を上から見た図である。
【図３】本発明に係る天然芝施設の設置手順を示す図である。
【図４】本発明に係る天然芝施設の設置手順を示す図である。
【図５】本発明に係る天然芝施設の設置手順を上から示す図である。
【図６】本発明に係る天然芝施設の光源部の設置を説明する図である。
【図７】本発明に係る天然芝施設の送風部の設置を説明する図である。
【図８】本発明に係る天然芝施設の光源部の設置を説明する図である。
【発明を実施するための形態】
【００１９】
本発明に係る天然芝施設１は、柱立設部２００を設置することによって、短期間に天然芝施設１をイベント用に変更できることを最大の特徴とする。以下、本発明に係る天然芝施設１の実施形態を、図面に基づいて説明する。
なお、以下の実施例で示される天然芝施設１の全体形状及び各部の形状は、下記に述べる実施例に限定されるものではなく、本発明の技術的思想の範囲内、即ち、同一の作用効果を発揮できる形状及び寸法の範囲内で適宜変更することができるものである。
【実施例１】
【００２０】
図１から図５に従って、本発明を説明する。
図１は、本発明に係る天然芝施設１の実施例の模式図である。図２は、本発明に係る天然芝施設１を上から見た図である。図３、図４、図５は、競技領域１００に床を設置する手順を示す図である。
天然芝施設１は、天然芝３００を使用した競技施設であり、サッカーやアメリカンフットボール等に用いられる。また、天然芝３００の上に、床を設置することで、他のイベント用に用いることも出来るものである。
天然芝施設１は、主に、競技領域１００と柱立設部２００と鉄骨組構造と床構造とから構成されている。例えば、ドーム型競技場が考えられる。
競技領域１００は、天然芝３００が植栽された部分である。天然芝３００の下には、天然芝３００を維持するための養土３１０があり、その下にはコンクリート基礎７００が設けられている。コンクリート基礎７００は、競技領域１００の全面に設けられていてもいいし、柱立設部２００の周囲のみ設けられていてもよい。天然芝３００を植栽して行う競技としては、サッカーが主流である。天然芝３００は、競技場の要素として重要であるが、維持管理に多くの作業が必要である。競技領域１００内には、一定の間隔で、柱立設部２００が設置されている。柱立設部２００は、競技者に影響が出ない程度の深さに埋設されている。あまり浅い部分に埋設されると、天然芝３００を踏んだ感触が変わり、競技者に違和感を与えることになる。
【００２１】
柱立設部２００は、競技領域１００の上面に、イベント等用の床を設置するための支柱部４００を固定する部分である。大きさは、特に限定はないが、例えば１辺５０ｃｍから１ｍ程度である。柱立設部２００は、天然芝３００の面から５０ｃｍ程度の深さに埋設されている。柱立設部２００は、コンクリート基礎７００上に設置されている。柱立設部２００は、枠部２１０、蓋部２２０、柱固定部２３０、ボルト２４０から構成されている。枠部２１０は、柱立設部２００の周囲の壁を構成し、柱立設部２００全体を養土３１０から保護する。枠部２１０を用いないと、柱固定部２３０、ボルト２４０が、直接養土３１０と接触することになる。すると、養土３１０の湿気等によって、柱固定部２３０、ボルト２４０が腐食してしまう可能性がある。また、枠部２１０を設けることで、柱立設部２００の使用時に、柱固定部２３０、ボルト２４０周辺の養土３１０を排除する必要が無くなり、作業時間を削減することが出来る。
【００２２】
蓋部２２０は、柱立設部２００の上部を覆うものである。柱立設部２００を使用する際、柱立設部２００の周辺の天然芝３００、養土３１０を取り除き、蓋部２２０が完全に露出した時点で、蓋部２２０をはずす。こうすることで、天然芝３００、養土３１０の取り除き量の目安になる。また、蓋部２２０をはずすことで、即時に、柱固定部２３０、ボルト２４０を使用可能状態とすることが出来る。蓋部２２０の材質は、湿気等による劣化が少なく、軽量であると好適である。
柱固定部２３０は、支柱部４００を直接支える部分である。コンクリート基礎７００に直接、支柱部４００を設置してもよいが、平坦度がそのまま、上部の床の平坦度に影響することから、水平を出した、金属製プレートが好適である。支柱部４００には、数トン程度の荷重がかかることから、柱固定部２３０についても十分な強度が必要である。
ボルト２４０は、柱固定部２３０と支柱部４００を固定するものである。ボルト２４０の下部分は、コンクリート基礎７００に対してアンカー構造で固定されている。ボルト２４０は、柱固定部２３０と支柱部４００のフランジ４３０をナットで固定する。ボルト２４０の数は、８乃至１２程度が適当である。
【００２３】
鉄骨組構造として、支柱部４００、梁部５００で構成されている。天然芝３００面から所定の高さにする支柱部４００と、支柱部４００の上部に接続し、床全体の支持を行う梁部５００である。
支柱部４００は、例えば２乃至４ｍ程度の長さである。５０ｃｍ程度が天然芝３００の面よりも下に入り、梁部５００が接続される部分を除いて、垂直方向に１乃至３ｍ程度の空間が出来る構造である。このような空間を設けることで、床を設置している期間も、天然芝３００の育成に適当な空間とすることが出来る。すなわち、例えば約１ｍ程度の空間を設けることで、天然芝３００のある空間に、競技領域１００の一方からの送風が他方まで到達可能とすることが出来る。また、例えば３ｍ程度の空間を設けることで、全面床６１０設置後も、芝刈機等の既存のメンテナンス機器を、そのまま使用することが出来る。尚、係る空間の高さは、上記の様に用途に合わせて決定されるほか、イベントによって任意に設定・変更することも可能であり、その際はイベントによる荷重耐力を考慮して決定される。
支柱部４００の下部には、柱固定部２３０と固定するためのフランジ４３０が設けられている。支柱部４００の上部には、梁部５００と接続するための梁接続部４１０が設けられている。梁接続部４１０には、複数の孔があり、ボルト、ナットで梁部５００の柱接続部５１０と接続される。梁接続部４１０の下部には、梁保持部４２０が設けられ、梁部５００を支える構造である。梁部５００の支持強度の増加と、作業時の梁部５００の位置決めを容易にするためである。
【００２４】
梁部５００は、作業用床６００、全面床６１０を支持する部分である。梁部５００の柱接続部５１０は、支柱部４００の梁接続部４１０に接続される。梁部５００は、２つの支柱部４００の間に渡され、梁部５００全体として、面を形成する。梁部５００の上には、作業用床６００が固定される。固定は、例えば、梁部５００と作業用床６００に開けた孔をボルト、ナットで固定する方法で行われる。
【００２５】
ところで、柱立設部２００並びに支柱部４００の他の構成態様として、図示されていないが、コンクリート基礎７００に支柱部４００を挿嵌可能な所要深さの穴部を形成すると共に、該穴部の内面に雌ネジ構造を形成することで、該穴部自体を柱固定用のボルト構造を備える柱固定部２３０とする態様が考え得る。このとき、該穴部に立設される支柱部４００の下部にフランジ部４３０は設けられておらず、代わって支柱部４００の外周面下部には、穴部内面に形成された雌ネジ構造に対応する所要高さ分の雄ネジ構造が形成されており、該穴部に支柱部４００を螺合させつつ直接挿嵌することで、柱立設部２００へ支柱部４００を固定することが可能となる。
【００２６】
床構造として、作業用床６００、全面床６１０で構成される。作業用床６００は、梁部５００に対して固定される。作業用床６００は、設営のための作業車を移動可能な程度の強度を持つ。作業用床６００上を作業車が通ることで、天然芝３００を痛めることなく、効率的に作業を進めることが出来る。
全面床６１０は、イベント等のための会場の床である。作業用床６００の間に渡す様に設置される。全面床６１０の強度は、使用するイベントでの荷重に十分耐えられる強度を持つ。予め、最大荷重を想定して、全面床６１０の強度、材質を決定してもいいし、開催するイベントごとに、全面床６１０の種類を変更しても良い。
また、床構造の一部若しくは全部は、強度的に問題無ければ、孔部を備えた有孔状若しくは格子状構造の床材あるいは透明若しくは半透明の床材で構成してもよい。かかる構成を採用することで、イベント中も太陽光をはじめとする外部からの光が床を透過して天然芝３００に入り、芝を養生することが出来る。
【００２７】
尚、上記では、床構造が、作業用床６００と全面床６１０で構成される場合について説明し、図面もその場合について図示されているが、床構造について、作業用床６００無しに全面床６１０のみで構成される場合も考え得る。すなわち、梁部５００に対して全面床６１０を直接固定する態様である。このとき、作業用床６００が存しないことから、設営のための作業車は使用せず、大型クレーンや既設の天井クレーン等を使用して全面床６１０の設営作業が行われることとなる。
【００２８】
（以下、順次繰り下げ）
図２に沿って、競技領域１００における柱立設部２００の配置位置について説明する。競技領域１００全面に天然芝３００が植栽されている。支柱部４００を設置する箇所に、柱立設部２００を設置、埋設する。柱立設部２００は深く埋設されるので、競技者が柱立設部２００の埋設のための違和感を感じることはない。競技領域１００をイベント用に変更する際、柱立設部２００の周辺のみ、天然芝３００、養土３１０を掘り起こし、柱立設部２００を露出させる。図２でもわかるように、支柱部４００の範囲の面積は、競技領域１００全体からすると、極めて小さく、天然芝３００全体の状態をほぼ維持したまま、イベント用の床を設置することが出来る。
イベント用の床を設置する方法として、天然芝３００をすべて、除去する方法も考えられるが、そうすると、イベント終了後に、天然芝３００を植栽するために多くの時間と費用が必要となる。それに対して、本発明では、天然芝３００の状態を維持したまま、床を設置できるので、時間と費用を軽減することが出来る。
【００２９】
サッカーで使用するドーム型競技場の競技エリアの大きさは、概ね長さ１２０ｍ、幅９０ｍ程度である。１０ｍ間隔で、柱を設置した場合、長さ方向の柱の数は、１３本。幅方向の柱の数は、１０本程度である。
床設置時に、取り除いた芝は、別途、保管してもいいし、廃棄してもよい。イベント終了まで保管するとしても、少量であるので、保管は容易である。イベント終了後に、柱立設部２００の部分に天然芝３００を戻す必要があるが、狭い領域であるので、植栽は容易である。
【００３０】
図３、図４、図５に沿って、設置手順を説明する。天然芝３００を使用する競技で使用するときは、柱立設部２００は、天然芝３００、養土３１０の下に埋設されている（図３（ａ））。柱立設部２００は、蓋部２２０で覆われているので、柱立設部２００の内部に水等が入ることはなく、柱固定部２３０、ボルト２４０は腐食することなく、保存されている。
競技場をイベント等に変更する際、柱立設部２００の周辺を掘り起こし、柱立設部２００を露出させ、蓋部２２０をはずす（図３（ｂ））。柱立設部２００の周囲の天然芝３００、養土３１０が柱立設部２００の内部に崩れ落ちない程度に掘り、その後、蓋部２２０をはずす。柱立設部２００の埋設してある位置を、わかりやすくするため、柱立設部２００の位置に、競技の支障にならないようなマーカーを設置してもよい。また、柱立設部２００の設置位置は、格子状となる場合が多いので、競技領域１００の周囲に、マーカーを設置し、紐等で格子位置を特定しても良い。
柱立設部２００の柱固定部２３０に対して、支柱部４００を設置する（図３（ｃ））。支柱部４００のフランジ４３０には、孔が開けられているので、その孔がボルト２４０に合うように、設置する。フランジ４３０は、ナット等によって、柱固定部２３０に対して、強固に固定される。
支柱部４００に対して、梁部５００を設置する（図４（ａ）、図５（ａ））。支柱部４００の梁保持部４２０で、支柱部４００と梁部５００の位置を合わせ、柱接続部５１０と梁接続部４１０を合わせ、ボルト、ナットで固定する。梁部５００は、床の荷重を受け止めることから、Ｈ鋼等の強度の高い鋼材を使用する。支柱部４００と梁部５００の位置精度が、床の平坦度に影響することから、高精度での設置が必要である。
梁部５００に対して、作業用床６００を設置する（図４（ｂ）、図５（ｂ））。梁部５００と作業用床６００は、ボルト、ナット等で、強固に固定する。作業用床６００の上に、作業者、作業工具、作業車等が、乗ることになるので、作業用床６００は、それに耐え得る強度が必要である。作業用床６００を設けることで、床設置作業時に、作業者、作業車は、天然芝３００を無用に痛めることなく、作業を行うことが出来る。
作業用床６００に対して、全面床６１０を設置する（図４（ｃ）、図５（ｃ））。全面床６１０は、短冊型で、作業用床６００に沿って配置する。全面床６１０は、行うイベントの種類によって、材質、強度を変えても良い。
【００３１】
尚、イベントの内容によって、競技領域１００内の荷重が大きく異なる場合は、荷重の少ない範囲は、柱立設部２００を一部使用せず、荷重の多い範囲では、柱立設部２００をすべて使用するようにしてもよい。そうすることで、柱立設部２００を掘り返す作業を軽減出来る。
【００３２】
このように、本発明によれば、鉄骨組で芝生を完全に覆う事で長期間、サッカー等の球技以外での使用が可能となる。また、芝生面とイベント用の床が２層となるため、芝生全体を別の場所に移動する等の手間が不要である。
また、鉄骨組を撤去後、柱立設部を埋め戻し、埋め戻した部分のみ芝生を張ることで、１乃至２日でサッカー等の球技が可能となる。さらに、設置、撤去とも一般的な建築機材を使用出来るため、低コストでの運用が可能である。またさらに、芝生面から床まで、一定の距離を離すことで、鉄骨組、床構造の下で芝生育成、管理が出来る。
【００３３】
上述のように、本発明に係る天然芝施設１によれば、短期間で、容易に、芝と床を切り替えられることが可能であり、可動率を向上させ効率的な施設の運営を行うことが出来ると共に、設置後の床と天然芝の面との間に空間が形成されるため、該床により芝が外気から遮断されて断熱機能を発揮して芝育成に必要な温度管理が楽になり、外部から雑草の種が入り難くなって、雑草の除去手間を大きく減らすことも可能であって、除草剤や農薬等の散布量を減少させることも出来、さらには、敷設される芝の養生・育成の為に必要な種々の建築制限を受けることなく、設計の自由度が増大する、といった多くの優れた効果を奏するものである。
【実施例２】
【００３４】
他の実施例について図６，７，８を用いて説明する。実施例１と同様の部分は省略する。
図６、図８は、本発明に係る天然芝施設の光源部の設置を説明する図である。図７は、本発明に係る天然芝施設の送風部の設置を説明する図である。
実施例１によって、天然芝を用いる競技場を他のイベント用に、迅速に変更可能となる。しかしながら、イベントが長期の場合に、芝に対する光、水等が十分でないと、イベント完了後に、ある程度、芝の養生が必要となってしまう。
【００３５】
そこで、芝の上に床が設置された状態であっても、芝の育成、養生が可能な技術が求められていた。
【００３６】
図６に、芝に光を照射する一例を示す。光源部８００は、ＬＥＤを用いた光源であり、天然芝３００に対して、所定光量の白色又は特定の色の光を所定の時間照射することが出来る。光源部８００は、作業用床６００、全面床６１０の底側、天然芝３００側に配置されている。基本的に、天然芝３００のある領域すべてに照射できるように配置される。電源線は、梁部５００を伝って、競技領域１００外まで伸び、商用電源等に接続される。
天然芝３００への光は、イベントと無関係に照射の管理が出来るので、芝に理想的な光を与えることが出来る。
尚、床構造として、孔部を備えた有孔状若しくは格子状構造の床材あるいは透明若しくは半透明の床材で構成することで、太陽光をはじめとする外部からの光が床を透過光が床を透過して天然芝３００に入り込む態様を採用した場合であっても、夜間など外部の光が存しない場合も想定されるため、上記光源部８００を設置する態様は有用である。
【００３７】
次に、図７に、芝への送風の管理の例を示す。芝生育成に通風は大事な要素であって、これを容易に管理し得るものである。図７（ａ）は、競技領域１００の天然芝３００と全面床６１０の間の空間に向けて、仕切り部７２０を介して、一方の送風機７１０から空気を送り、他方の送風機７１０から空間内の空気を外に出す構造を示している。また、図７（ｂ）は、全面床６１０の所定箇所に吸気口６２０と送風機７１０を備え、吸気口６２０から競技領域１００の天然芝３００と全面床６１０の間の空間に向けて空気を送り、送風機７１０から空間内の空気を外に出す構造を示している。天然芝３００の上に遮蔽物である全面床６１０があり、密閉空間となると、湿度が上昇し、芝育成の環境として不適切になってしまう。そこで、送風機７１０を用いて、空気を入れ替えることで、湿度の上昇を抑える。また、夏季であれば冷風を送り、冬季であれば温風を送ることで、温度管理も出来、芝の育成環境を整えることが出来る。
また、送風時に、加湿量を変えることで、芝の育成環境を整えることが出来る。仕切り部７２０を介することで、天然芝３００付近の雰囲気が、無用にイベント会場内に混ざることを防止することが出来る。
さらに、送風時に、二酸化炭素などの気体を送り込むことで、より芝育成の増進を図ることも可能となる。
このように、送風機を用いることで、天然芝３００部分の湿度、温度管理を行うことができる。
【００３８】
次に、図８に、芝に光を照射する変形例を示す。図６のように、作業用床６００、全面床６１０に光源部８００を配置すると、天然芝３００に対して、直接光源部８００の光が当たることとなるが、光源部８００を作業用床６００、全面床６１０に設置することが手間であるし、配線の処理も手間である。そこで、光源を柱立設部２００の中に設置し、かかる柱立設部２００内に設置された光源部８００から、斜め横又は斜め上方に光を照射し、全面床６１０の底面に配置された反射部６１０によって、天然芝３００に光を照射する構造である。反射部６１０は、アルミ箔のようなものでもいいし、白色のシートでも良い。このような構造とすることで、支柱部４００設置時に光源部８００も設置が出来るので作業性が向上する。また、予め、柱立設部２００に対して、コンクリート基礎７００から配線を引いておくことで、配線の手間を無くすことも出来る。
【００３９】
このように、光源、送風機を用いることで、イベント期間中の芝の管理、養生を進めることが出来る。
【００４０】
尚、図示されてはいないが、天然芝３００に水や肥料を散布できる装置を、床構造の下方（全面床６１０の下面や梁部５００の下面等）に組み込む態様を採用することも可能である。該装置の具体的態様について特に限定はないが、例えば通水管の所定中間箇所に開孔など複数の散水ノズルが弁構造を有して備わった構造の様な、常法の散水管構造等が考え得る。かかる態様を採用することで、芝育成の自動化をより効果的に図ることが出来る。
【産業上の利用可能性】
【００４１】
本発明に係る天然芝施設は、天然芝を用いないイベントの実施を迅速に行うと共に、天然芝の維持管理を行うことができることから、産業上の利用可能性は大きいと解される。
【符号の説明】
【００４２】
１    天然芝施設
１００    競技領域
２００    柱立設部
２１０    枠部
２２０    蓋部
２３０    柱固定部
２４０    ボルト
３００    天然芝
３１０    養土
４００    支柱部
４１０    梁接続部
４２０    梁保持部
４３０    フランジ
５００    梁部
５１０    柱接続部
６００    作業用床
６１０    全面床
６２０    吸気口
７００    コンクリート基礎
７１０    送風機
７２０    仕切り部
８００    光源部
８１０    反射部
【図１】
2020066932.tif 000003
【図２】
2020066932.tif 000004
【図３】
2020066932.tif 000005
【図４】
2020066932.tif 000006
【図５】
2020066932.tif 000007
【図６】
2020066932.tif 000008
【図７】
2020066932.tif 000009
【図８】
2020066932.tif 000010
【手続補正書】
【提出日】平成31年3月9日(2019.3.9)
【手続補正１】
【補正対象書類名】特許請求の範囲
【補正対象項目名】請求項１
【補正方法】変更
【補正の内容】
【請求項１】
天然芝が植栽された競技領域を持つ施設において、
該競技領域の基礎部分に柱立設部が複数配置され、
該柱立設部は、該柱立設部の直上の天然芝及び養土を除くことで、露出可能であり、コンクリート基礎に対してアンカー構造で固定されて成る柱固定用のボルト構造と、該柱立設部全体を養土から保護するための周囲の壁を構成する枠部と、該ボルト構造を天然芝及び養土から隔離するための上部を覆う蓋と、を備え、
該柱立設部には、設置後天然芝の面よりも所定の高さ以上となる柱を設置し、複数の該柱の間に梁を渡し、該梁の上に床を設置し、該床によって競技領域を覆うことが可能であることを特徴とする天然芝施設。
【手続補正２】
【補正対象書類名】明細書
【補正対象項目名】０００８
【補正方法】変更
【補正の内容】
【０００８】
本発明に係る天然芝施設は、該競技領域の基礎部分に柱立設部が複数配置され、柱立設部は、柱立設部の直上の天然芝及び養土を除くことで、露出可能であり、コンクリート基礎に対してアンカー構造で固定されて成る柱固定用のボルト構造と、該柱立設部全体を養土から保護するための周囲の壁を構成する枠部と、ボルト構造を天然芝及び養土から隔離するための上部を覆う蓋と、を備え、柱立設部には、設置後天然芝の面よりも所定の高さ以上となる柱を設置し、複数の柱の間に、梁を渡し、梁の上に、床を設置し、床によって、競技領域を覆うことを手段とする。